(57)【要約】      （修正有）【課題】回収物品の搬送時における汚れの外部漏れや回収物品の損傷などの抑制を図る。【解決手段】搬送用シート１は、長方形状のシート本体２とポケット部３とを有している。このポケット部３は、シート本体２の上側端部２ａに形成された切欠部４の底部に縫製されている。この切欠部４の左右の領域Ｘ，Ｙからシート本体３の下側端部２ｃまでの各領域Ｘ，Ｙをポケット部３側に折線Ａ，Ｂに沿って順次に折り畳み、面ファスナー４，１１・６，１２を着けることにより全体が袋状に変形し、ポケット部３の深さが延長される。また、ポケット部３には折り畳まれたシート本体２を収容することもできる。【選択図】図１
2014111462.tif 000002
【特許請求の範囲】
【請求項１】
回収物品を搬送するにあたって該回収物品を包装するために折り畳まれる搬送用シートにおいて、
任意形状のシート本体の一側端部に形成された切欠部と、該切欠部の底部に接合されて回収物品を収容可能な袋状のポケット部とを備え、
切欠部の両サイドの部分から切欠部と反対側の側端部までのそれぞれの領域をポケット部の方向に順次折り畳んで、
前記両サイドの部分をポケット部の外周に着脱自在に取り付けることによりポケット部の深さを延長可能なことを特徴とする搬送用シート。
【請求項２】
ポケット部には折り畳まれたシート本体が収容可能なことを特徴とする請求項１記載の搬送用シート。
【請求項３】
ポケット部の内周をコーティング処理するとともに、
ポケット部の内周底部に補強部を設けたことを特徴とする請求項１または２のいずれか１項に記載の搬送用シート。
【請求項４】
ポケット部の外周に内容物が透けて見える収容部を設けたことを特徴とする請求項１〜３のいずれか１項に記載の搬送用シート。
【発明の詳細な説明】
【技術分野】
【０００１】
本発明は、例えばリサイクル材などの回収物品を搬送する際に回収物品を包装する搬送用シートに関する。
【背景技術】
【０００２】
解体材などの回収時に使用されるシートについては、特許文献１が公知文献となっている。この特許文献１の回収シートは厚布からなり、解体材の回収にあたって室内の床に敷設され、解体材を包み込んで重機により搬出されている。
【先行技術文献】
【特許文献】
【０００３】
【特許文献１】特開２００４−３６０２０３
【発明の概要】
【発明が解決しようとする課題】
【０００４】
しかしながら、特許文献１の回収シートは、その四隅を持ち上げて解体材を包み込んでいるものの、折り畳んだ際に隙間が発生するため、搬送時に錆や油汚れ、汚水などが漏れ、搬送車を汚して清掃などの労力を増加させるおそれがある。また、回収物品が家具などの場合には搬送時に損傷が生じ、リサイクルに支障を生じさせるおそれがある。
【０００５】
本発明は、上述のような従来技術の問題点を解決するためになされたものであり、袋状に変形可能なシートを提供することで搬送時における汚れの外部漏れや回収物品の損傷などを抑制することを解決課題としている。
【課題を解決するための手段】
【０００６】
そこで本発明の搬送用シートは、任意形状のシート本体の一側端部に形成された切欠部と、該切欠部の底部に接合されて回収物品を収容可能な袋状のポケット部とを備え、切欠部の両サイドの部分から切欠部と反対側の側端部までのそれぞれの領域をポケット部の方向に順次折り畳んで、前記両サイドの部分をポケット部の外周に着脱自在に取り付けることによりポケット部の深さを延長可能なことを特徴としている。
【０００７】
この発明によれば、ポケット部の深さがシート本体の折り畳みにより延長されるため、全体が袋状に変形可能な搬送用シートが提供される。この搬送用シートは全体が袋状に変形可能なため、多種多様なサイズ・大きさの回収物品の収容に対応することができる。
【０００８】
また、ポケット部に折り畳まれたシート本体を収容すれば、搬送用シートをコンパクト化でき、持ち運びなどが容易となる。さらにポケット部の内周をコーティング処理することで水漏れなどを抑制し、ポケット部の内周底面に補強部を設けることで強度を確保することできる。さらにポケット部の外周に内容物が透けて見える収容部を設ければ、収容された伝票等の確認が容易となる。
【発明の効果】
【０００９】
本発明によれば、袋状に変形可能なシートが提供されるため、搬送時における汚れの外部漏れや回収物品の損傷などを抑制することができる。
【図面の簡単な説明】
【００１０】
【図１】本発明の実施形態に係る搬送用シートの正面図。
【図２】図１のＡ−Ａ断面図。
【図３】使用済み消音器の下端部をポケット部に収容してシート本体に載せた状態の斜視図。
【図４】図３の状態で折線Ａに沿って折り畳んだ状態の斜視図。
【図５】図４の状態で折線Ｂに沿って折り畳んだ状態の斜視図。
【図６】図５の状態から面ファスナーで固定した状態の斜視図。
【図７】シート本体の収納時に折線Ｅ，Ｆに沿って折り畳んだ状態の斜視図。
【図８】図７の状態で折線Ａに沿って折り畳んだ状態の斜視図。
【図９】図８の状態で折線Ｂに沿って折り畳んだ状態の斜視図。
【図１０】図９の状態から折線Ｇ，Ｈに沿って折り畳んだ状態の斜視図。
【図１１】図１１の状態からポケット部にシート本体を収納して取っ手を形成した状態の斜視図。
【発明を実施するための形態】
【００１１】
以下、本発明の実施形態に係る搬送用シートを説明する。ここでは使用済みの自動車の消音器（マフラー）を回収し、回収された消音器をリサイクルする回収システムの回収シートに本発明が適用されている。この回収システムによれば、自動車ディーラーは新品と交換された使用済みの前記消音器を自動車リサイクル法に基づき回収シートを用いて回収する。
【００１２】
このとき回収シートは、リース会社から自動車ディーラーに貸し出され、各回収シートに付されたＩＣカード（バーコード付カードでもよい。）を通じて管理センターにおいてシート単位で管理されている。すなわち、回収シートを持ち出すときに貸出登録され、回収シートを回収登録した時点で返却と扱われている。この回収システムによって前記回収シートのレンタル課金が行われ、リアルタイムに在庫が把握されている。
【００１３】
≪回収シートの構成例≫
図１および図２に基づき前記回収シートの構成例を説明する。この回収シート１は、図１に示すように、横長の長方形状に形成されたキャンパス布製のシート本体２と、シート本体２の上側端部２ａに配置された袋状のポケット部３とを主体に構成されている。
【００１４】
このシート本体２は、回収対象の物品の形状に応じて包み込むことが可能ないわゆる風呂敷タイプとなっており、その上側端部２ａに凹状の切欠部４が形成されている。この切欠部４の底部４ａ（以下、切欠底部４ａとする）にはポケット部３の背面側の開口端部３ａが縫製されている。
【００１５】
したがって、ポケット部３の開口端部３ａは、シート本体２の上端部２ａよりも切欠底部４ａ側に配置され、両者２ａ，３ａ間には位置ずれＷ１が発生している。このときポケット部３の側面３ｂと切欠部４の側面４ｂとの間にスリットＳが形成され、前記位置ずれＷ１に応じた切欠部４の左右の領域Ｐ，Ｑがポケット部３の開口外周面を被覆可能となっている。
【００１６】
そして、シート本体２は、各領域Ｐ，Ｑから上下方向に沿って下側端部２ｃまでの左右の領域Ｘ，Ｙが対称となっており、前記各領域Ｐ，Ｑの切欠部４側にはポケット部３に縫製されたループタイプの面ファスナー（いわゆるマジックテープ「登録商標」）１１，１２に面的に着脱可能なフックタイプの面ファスナー５，６が縫製されている。
【００１７】
シート本体２の右側端部２ｂには等間隔に３本のファスナーベルト７〜９の下端部が縫製されている。この各ファスナーベルト７〜９は、上端正面にフックタイプの面ファスナー７ａ〜９ａを有する一方、背面の略全体にループタイプの面ファスナー７ｂ〜９ｂ（図５参照）を有している。また、シート本体２の背面には上下方向に沿ってファスナーベルト１０の下端部が縫製され、該ファスナーベルト１０の上端正面にループタイプの面ファスナー１０ａを有している。
【００１８】
ポケット部３は、袋状のキャンパス布の内周面にゴム張りのコーティング処理が施されている。このポケット部３の内周底面には、図２に示すように、ベルト補強部１３が長手方向に沿って縫製されている。また、ポケット部３に縫製された面ファスナー１１，１２は、図１に示すように、面ファスナー５，６と各スリットＳを挟んで対向する位置に配置され、両面ファスナー１１，１２間にはフックタイプの面ファスナー１４が縫製されている。
【００１９】
この面ファスナー１１の上側には、ＩＣカードや伝票などを収容可能な小型ポケット１５が縫製されている。この小型ポケット１５は、透明塩化ビニルシートとキャンパス布製のフレームとからなり、該フレームがポケット部３の外周面に縫製されている。
【００２０】
また、ポケット部３の背面側の開口部端部３ａには、左右一対のフックタイプの面ファスナー１５，１６が縫製され、両者間１５，１６間にはファスナーベルト１７の中央部が縫製されている。なお、ファスナーベルト１７は、一端部の外面にループタイプの面ファスナー１７ａ（図１１参照）を有する一方、他端部の内面にはフックタイプの面ファスナー１７ｂを有し、両ファスナー１７，１８を円環状の取っ手Ｔとすることができる。
【００２１】
≪消音器の回収時の使用方法≫
図３〜図６に基づき使用済み消音器２０を回収する際の回収シート１の使用方法を説明する。ここでは前記消音器２０の長さは、図１に示す回収シート１の上下方向の長さＬ（ポケット部３の深さＷ２＋切欠底部４ａから下側端部２ｃまでの長さＬ１）よりも短く設定されている。また、前記消音器２０のサイレンサー２２は、エキゾーストパイプ２１においてポケット部３の深さＷ２よりも高い位置に取り付けられている。
【００２２】
具体的には前記消音器２０の回収にあたっては、まず図３に示すように回収シート１のシート本体２を平面上に広げるとともに、新品と交換された前記消音器２０をシート本体２上に載置する。このとき前記消音器２０のエキゾーストパイプ２０の下端部をポケット部３内に収容する。このポケット部３内はゴム張りのコーティング処理が施されているため、エキゾーストパイプ２１の錆や汚れ，汚水の外部漏れを防止することができる。
【００２３】
また、ポケット部２の内周底部にはベルト補強部１３が縫製されているため、エキゾーストパイプ２１のエッジ等の接触による損傷も軽減される。その一方でサイレンサー２２はポケット部３の深さＷ２よりも高い位置に取り付けられているため、ポケット部３には収容されることなく、シート本体２上に載置されている。
【００２４】
つぎに面ファスナー１１に面ファスナー５を着けるとともに、面ファスナー１２に面ファスナー６を着ける。この面ファスナー１２．６を着けた後にシート本体２の前記領域Ｘを、図４に示すように、図１中の折線Ａに沿って内側（内方向）に折り畳んで前記消音器２０に被せる。
【００２５】
そして、シート本体２の前記領域Ｙを、図５に示すように、図１中の折線Ｂに沿って内側に折り畳む（前記領域Ｘ，Ｙの折り畳む順序は逆でもよい。）。これにより前記領域Ｘ中の左側領域Ｘ１が図１中の折線Ｃに沿って外側（外方向）に折り返され、その後に前記領域Ｙの右側領域Ｙ１を図１中の折線Ｄに沿って内側に折り畳む。このとき面ファスナー１１，５と面ファスナー１２，６とがそれぞれ着けられているため、ポケット部２の深さＷ２が前記領域Ｘ，Ｙの長さＬ１だけ延長され、この意味で前記回収シート１は全体が袋状に変形可能な搬送用シートとなっている。
【００２６】
この状態のまま図６に示すように、前記消音器２０の長さに応じてシート本体２の下側端部２ｃを内側に折り畳むとともに、ファスナーベルト１０を上下方向に巻回して面ファスナー１０ａを面ファスナー１４に着ける。また、ファスナーベルト７〜９を左右方向に巻回し、面ファスナー７ａ〜９ａを面ファスナー７ｂ〜９ｂに着けて前記消音器２０の包装を完了する。
【００２７】
この完了後に伝票やＩＣカード等の必要物を小型ポケット１５に収容する。この小型ポケット１５は透明塩化ビニルシートを主体とするため、収容された内容物を容易に確認することができる。この収容後に前記回収用シート１に包装された前記消音器２０を搬送車などに載せて回収する。
【００２８】
このとき前記消音器２０のサイレンサー２２がポケット部３には収容されていないものの、ポケット部２の深さＷ２が前記領域Ｘ，Ｙの長さＬ１だけ延長されていることからポケット部３と前記領域Ｘ，Ｙとが連続した袋状にとなって前記消音器２０の全体を包み込んでいる。したがって、前記消音器２０の搬送時にサイレンサー２２から錆や油汚れ，汚水が外部に漏れて搬送車などを汚すおそれがなく、搬送車の清掃などの労力を軽減することができる。
【００２９】
この回収シート１は、全体が袋状に変形可能なため、多種多様なサイズ・大きさの消音器の包装収容に対応することができる。例えばサイレンサーがポケット３の深さよりも低い位置に取り付けられている場合にはポケット部３内にサイレンサーが収容された状態で消音器の全体を包み込むことが可能なため、同様に錆や油汚れ，汚水などの外部漏れを防止することできる。
【００３０】
また、回収対象の物品が長尺物でなければ、該物品をシート本体２の全体で包んで各ファスナーベルト７〜１０を巻回し、面ファスナー７ａ〜９ａ，７ｂ〜９ｂ，１０ａ，１４，４，６，１１，１２を着けて固定してもよく、様々な形状の物品に対応することができる。
【００３１】
≪回収シート１の貸出時≫
図７〜図１１に基づき前記回収シート１の貸出時の形状を説明する。ここでは前記回収シート１は前記消音器２０を回収して返却されれば、前記回収時の折畳形状が戻される。
【００３２】
すなわち、返却された前記回収シート１は、面ファスナー７ａ〜９ａが面ファスナー７ｂ〜９ｂから取り外されて各ファスナーベルト７〜９の巻回が解かれ、面ファスナー１０ａが面ファスナー１４かた取り外されてファスナーベルト１０の巻回が解かれ、面ファスナー１１，５と面ファスナー１２，６とが取り外されて折線Ａ〜Ｄの折り畳みを戻して広げられる。この段階では必要に応じて回収時の汚れやなどが取り除かれる。
【００３３】
そして、前記回収シート１の前記領域Ｐ，Ｑを、図７に示すように、図１中の折線Ｅ，Ｆに沿って内側に折り畳む。この状態のまま図８に示すように、前記領域Ｘを図１中の折線Ａに沿って内側に折り畳み、さらに図９に示すように、前記領域Ｙを図９に示すように図１中の折線Ｂに沿って内側に折り畳む（前記領域Ｘ，Ｙの折り畳む順序は逆でもよい。）。
【００３４】
このとき前記領域Ｘ中の左側領域Ｘ１が図１中の折線Ｃに沿って外側に折り返され、その後に前記領域Ｙの右側領域Ｙ１を折線Ｄに沿って外側に折り返す。この段階でシート本体２の横幅がポケット部３の開口部に収容可能な大きさに変形される。この折り畳まれた状態からシート本体２を、図１０に示すように、さらに図１中の折線Ｇ，Ｈに沿って二段階に折り畳み、ファスナーベルト７〜１０の上端部を折り畳まれた各段階間に入り込ませる。
【００３５】
最後に折り畳んだシート本体２を、図１１に示すように、ポケット部３内に収納し、面ファスナー１５，１６を面ファスナー１１，１２に着けてポケット部３の開口部を閉固定するとともに、ファスナーベルト１７の面ファスナー１７ｂに面ファスナー１７ａを着けて取っ手Ｔを形成する。
【００３６】
これにより前記回収シート１を持ち運び可能なコンパクトなバッグ形状とすることができる。このバッグ形状のまま前記回収シート１は自動車ディーラーに貸し出されるため、前記消音器２０の回収場所まで容易に持ち出すことができ、運搬上の利便性が向上する。
【００３７】
また、前記消音器２０の回収場所では面ファスナー１７ａ，１７ｂを取り外して取っ手Ｔを分解し、面ファスナー１５，１６と面ファスナー１１，１２とを取り外してポケット部３の開口部を開けてシート本体２を取り出す。ここで取り出されたシート本体２の折線Ａ〜Ｃ，Ｅ〜Ｈの折り畳みを戻して広げれば、前記消音器２０の回収袋として利用できる。
【００３８】
≪その他・他例≫
本発明は、前記実施形態に限定されるものではなく、各請求項に記載された範囲内で変形して実施することができる。例えば本発明の搬送用シートは、前記消音器２０の回収のみならず、広くリサイクル材の回収用として利用することができる。
【００３９】
この場合に本発明の搬送用シートによれば、傷や損傷がリサイクルに支障を生じさせるような回収物品（例えば家具など）であっても、全体が袋状に変形して包み込むため、搬送時における回収物品の傷や損傷を抑えることができる。
【符号の説明】
【００４０】
１…回収シート（搬送用シート）
２…シート本体
２ａ…一側端部（上側端部）
２ｃ…反対側の側端部
３…ポケット部
４…切欠部
４ａ…底部
５、６…左右の側端部
１３…ベルト補強部（補強部）
１５…小型ポケット（収容部）
Ｘ，Ｙ…各領域
Ｐ，Ｑ…切欠部の左右の領域（切欠部の両サイドの部分）
【図１】
2014111462.tif 000003
【図２】
2014111462.tif 000004
【図３】
2014111462.tif 000005
【図４】
2014111462.tif 000006
【図５】
2014111462.tif 000007
【図６】
2014111462.tif 000008
【図７】
2014111462.tif 000009
【図８】
2014111462.tif 000010
【図９】
2014111462.tif 000011
【図１０】
2014111462.tif 000012
【図１１】
2014111462.tif 000013